(57)【要約】【課題】デジタル放送受信端末機において、電力消耗を減らし、ユーザーの状況によって適切なアンテナを使用することができるように情報を提供するための装置及びその方法を提供する。【解決手段】本発明による装置は、固定的に具備された少なくとも一つの第２のアンテナを具備したデジタル放送受信端末機であって、前記デジタル放送受信端末機の外部から着脱が可能な少なくとも一つの第１のアンテナと、前記第２のアンテナと前記第１のアンテナの中でいずれの一つから入力されるデジタル放送信号の受信状態を感知するための受信状態感知部と、前記第２のアンテナと前記第１のアンテナの中で前記感知結果によって前記デジタル放送信号を受信するためにより適切であると判断されるアンテナをユーザーに知らせる制御部と、を含む。【選択図】図２
2006121707.tif 000002
【特許請求の範囲】
【請求項１】
固定的に具備された少なくとも一つの第２のアンテナを具備したデジタル放送受信端末機であって、
前記デジタル放送受信端末機の外部から着脱が可能な少なくとも一つの第１のアンテナと、
前記第２のアンテナと前記第１のアンテナとの内、いずれか一つから入力されるデジタル放送信号の受信状態を感知するための受信状態感知部と、
前記第２のアンテナと前記第１のアンテナとの内、前記感知結果によって前記デジタル放送信号を受信するために、より適切であると判断されるアンテナをユーザーに知らせる制御部と、
を含むことを特徴とするデジタル放送受信端末機におけるアンテナを選択するための装置。
【請求項２】
前記第２のアンテナと前記第１のアンテナとの内、いずれか一つを介してデジタル放送信号を受信する第１のＲＦ部と、
前記第１のＲＦ部に接続された第２のアンテナを除外した第２のアンテナを介してデジタル放送信号を受信する第２のＲＦ部と、
を含むことを特徴とする請求項１に記載のデジタル放送受信端末機におけるアンテナを選択するための装置。
【請求項３】
前記制御部は、前記第１のアンテナを介してデジタル放送信号を受信する場合、予め設定されたテスト周期によって前記第２のアンテナに入力されたデジタル放送信号の受信状態を感知して、前記第２のアンテナが使用可能な場合に、前記第２のアンテナがデジタル放送信号を受信するために、より適切であると判断することを特徴とする請求項１に記載のデジタル放送受信端末機におけるアンテナを選択するための装置。 
【請求項４】
前記制御部は、前記第１のアンテナを介してデジタル放送信号を受信する場合、前記第２のＲＦ部への電力供給を中断することを特徴とする請求項２に記載のデジタル放送受信端末機におけるアンテナを選択するための装置。 
【請求項５】
前記受信状態感知部は、前記第１のアンテナまたは前記第２のアンテナを介して受信されるデジタル放送信号の強度を感知する信号強度感知部を備えることを特徴とする請求項１に記載のデジタル放送受信端末機におけるアンテナを選択するため装置。
【請求項６】
前記受信状態感知部は、前記第１のアンテナまたは前記第２のアンテナを介して受信されるデジタル放送信号の信号対雑音比を感知する信号対雑音比感知部を備えることを特徴とする請求項１に記載のデジタル放送受信端末機におけるアンテナを選択するための装置。 
【請求項７】
前記制御部は、前記デジタル放送信号の強度が予め設定された信号強度の臨界値より強い場合には、現在の受信状態が前記デジタル放送信号の受信が可能な状態であると判断し、そうではない場合には、現在の受信状態が前記デジタル放送信号の受信が不可能な状態であると判断することを特徴とする請求項５に記載のデジタル放送受信端末機におけるアンテナを選択するための装置。
【請求項８】
前記制御部は、前記デジタル放送信号の信号対雑音比が予め設定された信号対雑音比の臨界値より大きい場合には、現在の受信状態が前記デジタル放送信号の受信が可能な状態であると判断し、そうではない場合には、現在の受信状態が前記デジタル放送信号の受信が不可能な状態であると判断することを特徴とする請求項６に記載のデジタル放送受信端末機におけるアンテナを選択するための装置。
【請求項９】
前記制御部は、前記第２のアンテナを介してデジタル放送信号を受信する場合に、前記第２のアンテナを介して受信されるデジタル放送信号の受信状態感知の結果、現在の受信状態が前記デジタル放送信号の受信が不可能な状態であれば、前記第１のアンテナが前記デジタル放送信号を受信するために、より適切であると判断することを特徴とする請求項７または８に記載のデジタル放送受信端末機におけるアンテナを選択するための装置。
【請求項１０】
前記制御部は、前記第１のアンテナが前記デジタル放送信号を受信するために、より適切であると判断される場合に、前記ユーザーに前記デジタル放送受信端末機のＬＥＤ(Ｌｉｇｈｔ Ｅｍｉｔｔｅｄ Ｄｉｏｄｅ)、バイブレーター(Ｖｉｂｒａｔｏｒ)、リンガー(Ｒｉｎｇｅｒ)、スピーカー及び表示部の中でいずれの一つを通じて前記第１のアンテナの装着を要求することを特徴とする請求項９に記載のデジタル放送受信端末機におけるアンテナを選択するための装置。 
【請求項１１】
前記制御部は、前記第１のアンテナを介してデジタル放送信号を受信する場合に、前記デジタル放送信号の受信状態感知結果、現在の受信状態が前記デジタル放送信号の受信が不可能な状態であれば、前記ユーザーに前記デジタル放送受信端末機のＬＥＤ、バイブレーター、リンガー、スピーカー及び表示部の中でいずれの一つを通じて現在デジタル放送信号を受信することが不可能であることを知らせることを特徴とする請求項７または８に記載のデジタル放送受信端末機におけるアンテナを選択するための装置。
【請求項１２】
前記制御部は、前記第２のアンテナを介して受信されるデジタル放送信号の受信状態感知の結果、前記デジタル放送信号の信号強度が予め設定された信号強度の臨界値以上であり、且つ前記デジタル放送信号の信号対雑音比が予め設定された信号対雑音比の臨界値以上である場合には、前記第２のアンテナが使用可能であると判断することを特徴とする請求項３に記載のデジタル放送受信端末機におけるアンテナを選択するための装置。
【請求項１３】
前記制御部は、前記第１のアンテナを介してデジタル放送信号を受信する場合、前記第１のアンテナを介して受信されるデジタル放送信号の受信状態感知結果によって前記テスト周期を調整することを特徴とする請求項１に記載のデジタル放送受信端末機におけるアンテナを選択するための装置。
【請求項１４】
前記制御部は、前記第１のアンテナを介して受信されるデジタル放送信号の受信状態感知の結果、前記デジタル放送信号の強度が強くなるほど前記受信状態が良好になっていると判断し、弱くなるほど前記受信状態が悪くなっていると判断することを特徴とする請求項１３に記載のデジタル放送受信端末機におけるアンテナを選択するための装置。
【請求項１５】
前記制御部は、前記第１のアンテナを介して受信されるデジタル放送信号の受信状態感知結果、前記デジタル放送信号の信号対雑音比が大きくなるほど前記デジタル放送信号の受信状態が良好になっていると判断し、前記デジタル放送信号の信号対雑音比が小さくなるほど前記デジタル放送信号の受信状態が悪くなっていると判断することを特徴とする請求項１３に記載のデジタル放送受信端末機におけるアンテナを選択するための装置。
【請求項１６】
前記制御部は、前記第１のアンテナを介して受信されるデジタル放送信号の受信状態感知の結果、一定時間の間に持続的に良好になっている場合には、前記テスト周期を減少させることを特徴とする請求項１４または１５に記載のデジタル放送受信端末機におけるアンテナを選択するための装置。
【請求項１７】
前記制御部は、前記第１のアンテナを介して受信されるデジタル放送信号の受信状態感知の結果、一定時間の間に持続的に悪くなっている場合には、前記テスト周期を増加させることを特徴とする請求項１４または１５に記載のデジタル放送受信端末機におけるアンテナを選択するための装置。
【請求項１８】
前記デジタル放送受信端末機は、前記デジタル放送信号の受信が可能な移動通信端末機であることを特徴とする請求項１に記載のデジタル放送受信端末機におけるアンテナを選択するための装置。
【請求項１９】
外部から着脱が可能な少なくとも一つの第１のアンテナと、固定された少なくとも一つの第２のアンテナとを備えるデジタル放送受信端末機であって、
前記第２のアンテナと前記第１のアンテナの中でいずれの一つを介してデジタル放送信号を受信する受信段階と、
受信された前記デジタル放送信号の受信状態を感知する感知段階と、
前記感知された結果によって前記第１のアンテナと第２のアンテナの中でデジタル放送受信に適切なアンテナを判断する判断段階と、
前記判断結果によってユーザーに前記第１のアンテナと前記第２のアンテナの中でいずれの一つのアンテナがデジタル放送信号を受信するために適切であると知らせる通知段階と、
を備えることを特徴とするデジタル放送受信端末機におけるアンテナを選択するための方法。
【請求項２０】
前記感知段階は、前記デジタル放送信号の信号強度を感知する信号強度感知段階をさらに備えることを特徴とする請求項１９に記載のデジタル放送受信端末機におけるアンテナを選択するための方法。
【請求項２１】
前記判断段階は、前記第２のアンテナを介してデジタル放送信号を受信する場合、前記デジタル放送信号の信号強度が予め設定された信号強度の臨界値以上である場合には、前記第２のアンテナが前記デジタル放送信号を受信するために適切であると判断し、そうではない場合には、前記第２のアンテナが前記デジタル放送信号を受信するために不適切であると判断することを特徴とする請求項１９に記載のデジタル放送受信端末機におけるアンテナを選択するための方法。
【請求項２２】
前記判断段階は、前記第２のアンテナが前記デジタル放送信号を受信するために不適切であると判断された場合、前記ユーザーに前記第１のアンテナを装着すると知らせる第１のアンテナ装着要求段階をさらに備えることを特徴とする請求項２１に記載のデジタル放送受信端末機におけるアンテナを選択するための方法。
【請求項２３】
前記判断段階は、前記第１のアンテナを介してデジタル放送信号を受信する場合、前記デジタル放送信号の信号強度が予め設定された信号強度の臨界値以上である場合には、前記第１のアンテナが前記デジタル放送信号を受信するために適切であると判断し、そうではない場合には、前記第１のアンテナが前記デジタル放送信号を受信するために不適切であると判断することを特徴とする請求項１９に記載のデジタル放送受信端末機におけるアンテナを選択するための方法。
【請求項２４】
前記判断段階は、前記第１のアンテナが前記デジタル放送信号を受信するために不適切であると判断された場合、前記ユーザーに現在デジタル放送信号を受信することが不可能であると知らせる受信不可通知段階を備えることを特徴とする請求項２３に記載のデジタル放送受信端末機におけるアンテナを選択するための方法。
【請求項２５】
前記感知段階は、前記デジタル放送信号の信号対雑音比を感知する信号対雑音比感知段階をさらに備えることを特徴とする請求項１９に記載のデジタル放送受信端末機におけるアンテナを選択するための方法。
【請求項２６】
前記判断段階は, 前記第２のアンテナを介してデジタル放送信号を受信する場合、前記デジタル放送信号の信号対雑音比が予め設定された信号対雑音比の臨界値以上である場合には、前記第２のアンテナが前記デジタル放送信号を受信するために適切であると判断し、そうではない場合には、前記第２のアンテナが前記デジタル放送信号を受信するために不適切であると判断することを特徴とする請求項２５に記載のデジタル放送受信端末機におけるアンテナを選択するための方法。
【請求項２７】
前記判断段階は、前記第２のアンテナが前記デジタル放送信号を受信するために不適切であると判断された場合、前記ユーザーに前記第１のアンテナを装着すると知らせる第１のアンテナ装着要求段階をさらに備えることを特徴とする請求項２６に記載のデジタル放送受信端末機におけるアンテナを選択するための方法。
【請求項２８】
前記判断段階は、前記第１のアンテナを介してデジタル放送信号を受信する場合、前記デジタル放送信号の信号対雑音比が予め設定された信号対雑音比の臨界値以上である場合には、前記第１のアンテナが前記デジタル放送信号を受信するために適切であると判断し、そうではない場合には、前記第１のアンテナが前記デジタル放送信号を受信するために不適切であると判断することを特徴とする請求項２５に記載のデジタル放送受信端末機におけるアンテナを選択するための方法。
【請求項２９】
前記判断段階は、前記第１のアンテナが前記デジタル放送信号を受信するために不適切であると判断された場合、前記ユーザーに現在デジタル放送信号を受信することが不可能であると知らせる受信不可通知段階を備えることを特徴とする請求項２８に記載のデジタル放送受信端末機におけるアンテナを選択するための方法。
【請求項３０】
前記通知段階は、前記第２のアンテナと前記第１のアンテナの中で前記デジタル放送信号を受信するために適切であると判断されたアンテナをユーザーに知らせることを特徴とする請求項２１、２３、２６または２８に記載のデジタル放送受信端末機におけるアンテナを選択するための方法。
【請求項３１】
前記通知段階は、前記ユーザーに前記デジタル放送受信端末機のＬＥＤ(Ｌｉｇｈｔ Ｅｍｉｔｔｅｄ Ｄｉｏｄｅ)、バイブレーター(Ｖｉｂｒａｔｏｒ)、リンガー(Ｒｉｎｇｅｒ)、スピーカー及び表示部の中でいずれの一つを通じて知らせることを特徴とする請求項２０、２２、２５または２９に記載のデジタル放送受信端末機におけるアンテナを選択するための方法。
【請求項３２】
前記判断段階は、前記第１のアンテナと第２のアンテナの中、前記判断結果によって前記デジタル信号を受信するために不適切であると判断されたアンテナと接続されたＲＦ部には電源をオフする電源オフ段階をさらに備えることを特徴とする請求項１９に記載のデジタル放送受信端末機におけるアンテナを選択するための方法。
【請求項３３】
前記電源オフ段階は、前記第２のアンテナと接続されたＲＦ部に電源供給が中断された場合、予め設定されたテスト周期によって前記第２のアンテナと接続されたＲＦ部に電源をオンする周期的電源オン段階をさらに備えることを特徴とする請求項３２に記載のデジタル放送受信端末機におけるアンテナを選択するための方法。
【請求項３４】
前記第１のアンテナを介してデジタル放送信号を受信する場合、予め設定されたテスト周期によって前記第２のアンテナを介して受信されたデジタル放送信号の受信状態が受信が可能な状態であるか否かをチェックする周期的受信状態チェック段階をさらに備えることを特徴とする請求項１９に記載のデジタル放送受信端末機におけるアンテナを選択するための方法。
【請求項３５】
前記周期的受信状態チェック段階は、予め設定されたテスト周期が満期されたか否かをチェックする周期満期チェック段階と、
前記第２のアンテナを介して受信された前記デジタル放送信号の受信状態が良好であるか否かを判断する第２のアンテナ受信状態判断段階と、
前記判断結果によって前記デジタル放送信号の受信状態が良好であると判断される場合、これを前記ユーザーに知らせる受信状態チェック結果通知段階と、
を備えることを特徴とする請求項３４に記載のデジタル放送受信端末機におけるアンテナを選択するための方法。
【請求項３６】
前記第２のアンテナ受信状態判断段階は、前記第２のアンテナを介して受信された前記デジタル放送信号の受信信号の強度が予め設定された信号強度の臨界値以上である場合には、前記デジタル放送信号の受信状態が良好であると判断し、そうではない場合には、前記デジタル放送信号の受信状態が不良であると判断することを特徴とする請求項３５に記載のデジタル放送受信端末機におけるアンテナを選択するための方法。
【請求項３７】
前記第２のアンテナ受信状態判断段階は、前記第２のアンテナを介して受信された前記デジタル放送信号の信号対雑音比が予め設定された信号対雑音比の臨界値以上である場合には、前記デジタル放送信号の受信状態が良好であると判断し、そうではない場合には、前記デジタル放送信号の受信状態が不良であると判断することを特徴とする請求項３５に記載のデジタル放送受信端末機におけるアンテナを選択するための方法。
【請求項３８】
前記受信状態チェック結果通知段階は、前記第１のアンテナを介してデジタル放送信号が受信されるか否かをチェックする第１のアンテナ感知段階と、
前記感知結果によって第１のアンテナを介してデジタル放送信号が受信されることが感知された場合、これをユーザーに知らせる通知段階と、
をさらに備えることを特徴とする請求項３５に記載のデジタル放送受信端末機におけるアンテナを選択するための方法。
【請求項３９】
前記テスト周期を決定するテスト周期決定段階をさらに備えることを特徴とする請求項３５に記載のデジタル放送受信端末機におけるアンテナを選択するための方法。
【請求項４０】
前記テスト周期決定段階は、前記第１のアンテナを介して受信されるデジタル放送信号の受信状態に変化があるか否かを判断する受信状態変化判断段階と、
前記受信状態変化判断段階の結果によって前記テスト周期を決定するテスト周期修正段階と、
を備えることを特徴とする請求項３９に記載のデジタル放送受信端末機におけるアンテナを選択するための方法。
【請求項４１】
前記受信状態変化判断段階は、前記第１のアンテナを介して受信されるデジタル放送信号の受信状態を一定時間間隔にチェックして、前記デジタル放送信号の受信強度が強くなるほど受信状態が良好になると判断し、弱くなるほど受信状態が悪くなると判断し、そうではない場合には、変化がないと判断することを特徴とする請求項４０に記載のデジタル放送受信端末機におけるアンテナを選択するための方法。
【請求項４２】
前記受信状態変化判断段階は、前記第１のアンテナを介して受信される前記デジタル放送信号の受信状態を一定時間間隔にチェックして前記デジタル放送信号の信号対雑音比が大きくなるほど受信状態が良好になると判断し、小さくなるほど受信状態が悪くなると判断し、そうではない場合には、変化がないと判断することを特徴とする請求項４０に記載のデジタル放送受信端末機におけるアンテナを選択するための方法。
【請求項４３】
前記テスト周期修正段階は、前記受信状態変化判断結果,前記第１のアンテナを介して受信されたデジタル放送信号の受信状態に変化がないか一定時間の間に持続的に悪くなる場合、前記テスト周期を増加させることを特徴とする請求項４１または４２に記載のデジタル放送受信端末機におけるアンテナを選択するための方法。
【請求項４４】
前記テスト周期修正段階は、前記受信状態変化判断結果、前記第１のアンテナを介して受信された前記デジタル放送信号の受信状態が一定時間の間に持続的に良好になる場合、前記テスト周期を減少させることを特徴とする請求項４１または４２に記載のデジタル放送受信端末機におけるアンテナを選択するための方法。
【発明の詳細な説明】
【技術分野】
【０００１】
本発明は、デジタル放送信号の受信が可能な端末機に関し、特に、内装及び外装アンテナを使用するデジタル放送受信端末機に関する。
【背景技術】
【０００２】
外装アンテナは、一般的なデジタル放送受信端末機で使われるアンテナと比較してその受信感度や信号対雑音比などが非常に優秀なアンテナを言う。しかし、このような外装アンテナは、一般にそのサイズが内装アンテナに比べてとても大きいので、ユーザーはデジタル放送受信端末機の使用に不便さを感じるようになる。
【０００３】
したがって、通常的なデジタル放送受信端末機では、内装アンテナを介してデジタル放送信号を受信することが不可能であると判断される場合にだけ外装アンテナを使うようにすることにより、内装アンテナを使用してデジタル放送信号を受信することが不可能な地域でもデジタル放送信号を受信することが可能としている。これによって、現在のデジタル放送受信端末機は内装アンテナを使用するモードと外装アンテナを使用するモードとのどちらのモードも具備する。
【０００４】
しかし、通常的なデジタル放送受信端末機では、外装アンテナを使用する場合に外装アンテナを使用する必要がない地域にユーザーが移動してもその事実をユーザーに知らせる方法がなかった。したがって、通常的なデジタル放送受信端末機では、内装アンテナで充分に受信が可能であるにもかかわらず外装アンテナを使用することによりユーザーの不便さをもたらす問題点があった。
【０００５】
また、外装アンテナを使用する場合、外装アンテナの利得が内装アンテナと比較して非常に大きいので内装アンテナを使用する必要がない。これは内装アンテナと接続されたＲＦ部を使用しなくてもデジタル放送受信端末機で要求される受信信号の品質を保障することができるからである。したがって、このような内装アンテナに接続されたＲＦ部へは電力を供給する理由がないがこれに対する制御が不可能なので不必要な電力が消耗される問題点があった。
【発明の開示】
【発明が解決しようとする課題】
【０００６】
本発明は、上述したような従来技術の問題点を解決するためになされたもので、その目的は、内装及び外装アンテナを具備しているデジタル放送受信端末機において、ユーザーに適切なアンテナ使用モードを知らせる装置及び方法を提供することにある。
【０００７】
本発明の他の目的は、内装及び外装アンテナを具備しているデジタル放送受信端末機において、外装アンテナを使用する場合に消費電力を最小化するための装置及び方法を提供することにある。
【課題を解決するための手段】
【０００８】
上記課題を解決するための本発明による装置は、固定的に具備された少なくとも一つの第２のアンテナを具備したデジタル放送受信端末機であって、前記デジタル放送受信端末機の外部から着脱が可能な少なくとも一つの第１のアンテナと、前記第２のアンテナと前記第１のアンテナの中でいずれの一つから入力されるデジタル放送信号の受信状態を感知するための受信状態感知部と、前記第２のアンテナと前記第１のアンテナの中で前記感知結果によって前記デジタル放送信号を受信するためにより適切であると判断されるアンテナをユーザーに知らせる制御部と、を含む。
【０００９】
また、本発明の方法は、外部から着脱が可能な少なくとも一つの第１のアンテナと、固定的に具備された少なくとも一つの第２のアンテナと、を備えるデジタル放送受信端末機であって、前記第２のアンテナと前記第１のアンテナの中でいずれの一つを介してデジタル放送信号を受信する受信段階と、受信された前記デジタル放送信号の受信状態を感知する感知段階と、前記感知された結果によって前記第１のアンテナと第２のアンテナの中でデジタル放送受信に適切なアンテナを判断する判断段階と、前記判断結果によってユーザーに前記第１のアンテナと前記第２のアンテナの中でいずれの一つのアンテナがデジタル放送信号を受信するために適切であると知らせる通知段階と、を備える。
【発明の効果】
【００１０】
本発明によれば、デジタル放送受信端末機において、不必要な内装アンテナＲＦ部により消耗される電力を減らすことができ、外装アンテナを不必要に使用する時間を最小化することにより外装アンテナを使用するユーザーの不便さを減少させる効果がある。
【発明を実施するための最良の形態】
【００１１】
以下、本発明の好適な一実施形態について添付図面を参照しつつ詳細に説明する。下記の説明において、本発明の要旨のみを明確にする目的で、関連した公知機能又は構成に関する具体的な説明は省略する。
【００１２】
また、以下の説明では、便宜上二つの内装アンテナがダイバーシティ(Ｄｉｖｅｒｓｉｔｙ)形態で構成されているデジタル放送受信端末機を例示する。しかし、一般に一つの内装アンテナを具備しているデジタル放送受信端末機でも本発明が適用できることは勿論である。そして、ここでデジタル放送受信端末機とは、デジタル放送信号の受信が可能なすべての複合端末機、すなわち、デジタル放送信号の受信が可能な移動通信端末機と、デジタル放送受信が可能なマルチメディアプレーヤーなどの全てを含む。そして、以下の説明において、本発明の実施形態によるデジタル放送受信端末機の内装アンテナまたは外装アンテナを介して受信される信号はデジタル放送信号であると記載しているが、前記内装アンテナまたは外装アンテナを介して受信されるＲＦ信号にも本発明を適用することができることは勿論であり、上述したデジタル放送信号はＤＭＢ(Ｄｉｇｉｔａｌ Ｍｕｌｔｉｍｅｄｉａ Ｂｒｏａｄｃａｓｔｉｎｇ)信号を含む。
【００１３】
本発明の実施形態によるデジタル放送受信端末機では、着脱が可能な外装アンテナと、基本的に端末機に具備されたダイバーシティで構成される二つの内装アンテナが提供される。また、内装アンテナの中でいずれの一つは、着脱可能な外装アンテナが装着される場合、その外装アンテナとスイッチングされてＲＦ部と接続される。
【００１４】
図１は、本発明の実施形態によるデジタル放送受信端末機を示すブロック構成図である。
【００１５】
図１を参照すれば、本発明の実施形態によるデジタル放送受信端末機は、メモリー部２０２と、キー入力部２０６と、表示部２０４と、ベースバンド(Ｂａｓｅｂａｎｄ)処理部２１２と、スイッチ部２２２と、内外装アンテナーＲＦ部２１４と、内装アンテナＲＦ部２１６と、受信状態感知部２２６と、バイブレーター２３２と、ＬＥＤ(Ｌｉｇｈｔ Ｅｍｉｔｔｉｎｇ Ｄｉｏｄｅ)２３４と、リンガー２３６と、コーデック(ＣＯＤＥＣ:Ｃｏｄｅｒ-Ｄｅｃｏｄｅｒ)２０８と、内装アンテナ２１８，２２０と、外装アンテナ２２４と、が制御部２００に接続される。
【００１６】
ここで、制御部２００は、デジタル放送信号を中継する衛星またはデジタル放送信号を中継する基地局から映像データ、オーディオデータ、情報データなどが含まれたデジタル放送信号を受信する。そして、制御部２００は、これをベースバンド処理部２１２で復号化させて表示部２０４に映像データがディスプレーされるように制御し、接続されたコーデック２０８を通じてオーディオデータを可聴信号として出力させる。
【００１７】
また、制御部２００は、ユーザーのキー入力によってＥＰＧ(Ｅｌｅｃｔｒｏｎｉｃ Ｐｒｏｇｒａｍｍｉｎｇ Ｇｕｉｄｅ)のような情報データを表示部２０４を通じてディスプレーさせる。また、上述したデジタル放送受信端末機が電話機能を実行することができる場合には、制御部２００は、電話通話やデータ通信、無線インターネット接続のためのプロトコルによって音声信号及びデータ信号を処理をすることもできる。
【００１８】
そして、制御部２００は、受信状態感知部２２６から入力される受信信号の受信状態感知結果によって現在接続されているアンテナの受信状態がデジタル放送信号の受信が可能な状態であるか否かを判断する。
【００１９】
そして、制御部２００は、接続されているバイブレーター２３２を利用した振動、ＬＥＤ２３４を通じた光やリンガー２３６を利用したベル音、スピーカーを通じた音声案内または表示部２０４にディスプレーされる画面によりその結果をユーザーに知らせる。
【００２０】
そして、ユーザーが外装アンテナ２２４を装着する場合には、制御部２００は、第１の内装アンテナ２２０に接続された内装アンテナＲＦ部２１６の電源をオフして不必要に消耗される電力を減少させる。
【００２１】
そして、制御部２００は、予め設定されたテスト周期（period）が満期になった（expire）か否かを確認し、その周期によって内装アンテナＲＦ部２１６の電源にオンさせる。
【００２２】
そして、制御部２００は、内装アンテナ２２０から受信されるデジタル信号の受信状態を感知して内装アンテナ２２０を介して十分にデジタル放送信号の受信が可能であると判断されると、これをユーザーに知らせる。そして、ユーザーにより外装アンテナ２２４が除去されたことを感知した場合には、内装アンテナ２１８，２２０を介してデジタル放送信号を受信し、そのデジタル放送信号の受信状態を感知し、外装アンテナ２２４が必要な状態であるか否かをユーザーに知らせる。
【００２３】
一方、受信状態感知部２２６は、内装アンテナ２２０または外装アンテナ２２４を介して受信される信号の強度を感知するための信号強度感知部２２８と、受信された信号の信号対雑音比(Ｓｉｇｎａｌ ＴＯ Ｒａｔｉｏ)を感知する信号対雑音比感知部２３０と、を具備する。上述した受信状態感知部２２６に受信された信号が入力されると、信号強度感知部２２８は、受信信号の強度を感知し、その結果を制御部２００に入力する。
【００２４】
そして、制御部２００は、受信信号の強度が予め設定された信号強度の臨界値以上である場合には、信号対雑音比感知部２３０から入力される受信信号の信号対雑音比が予め設定された信号対雑音比の臨界値以上であるか否かを判断する。その判断結果、受信信号の強度が信号強度の臨界値以上であり、また信号対雑音比が信号対雑音比の臨界値以上である場合には、制御部２００は、現在デジタル放送信号の受信が可能な状態であると判断する。
【００２５】
そして、制御部２００と連結されるメモリー部２０２は、ＲＯＭ(Ｒｅａｄ Ｏｎｌｙ Ｍｅｍｏｒｙ)と、フラッシュメモリー(Ｆｌａｓｈ Ｍｅｍｏｒｙ)と、ＲＡＭ(Ｒａｎｄｏｍ Ａｃｃｅｓｓ Ｍｅｍｏｒｙ)などを具備する。この中でＲＯＭは、制御部２００の処理及び制御のためのプログラムと各種参照データを保存し、ＲＡＭは、制御部２００のワーキングメモリー(Ｗｏｒｋｉｎｇ Ｍｅｍｏｒｙ)を提供し、フラッシュメモリーは、更新可能な各種保存用データを保存するための領域を提供する。
【００２６】
そして、キー入力部２０６は、数字キーを含んだ各種キーを具備してユーザーにより入力されるキー入力を制御部２００に提供する。
【００２７】
そして、表示部２０４は、通常的にＬＣＤ(Ｌｉｑｕｉｄ Ｃｒｙｓｔａｌ Ｄｉｓｐｌａｙ)を具備して制御部２００の制御によって各種情報を画像にディスプレーする。
【００２８】
そして、スイッチ部２２２は、第２の内装アンテナ２１８または外装アンテナ２２４の中でいずれか一つを内外装アンテナＲＦ部２１４と接続させる。一般に、スイッチ部２２２は、このようなハードウェアスイッチで構成されているが、制御部２００の制御を通じて第２の内装アンテナ２１８または外装アンテナ２２４の中でいずれか一つを選択するようにすることもできる。
【００２９】
そして、外装アンテナ２２４が接続されると、制御部２００は、接続された外装アンテナ２２４を介してデジタル放送信号を受信する。
【００３０】
そして、第１の内装アンテナ２２０と第２の内装アンテナ２１８は、各々内外装アンテナＲＦ部２１４及び内装アンテナＲＦ部２１６と接続されてデジタル放送信号を受信する。この時、第１の内装アンテナ２２０と第２の内装アンテナ２１８は、各々内外装アンテナＲＦ部２１４及び内装アンテナＲＦ部２１６と接続しながら上述したデジタル放送信号を中継する衛星またはデジタル放送信号を中継する基地局から映像データ、オーディオデータ、情報データなどが含まれたデジタル放送信号を受信し、その受信されたデジタル放送信号をベースバンド処理部２１２に出力する。
【００３１】
そして、ベースバンド処理部２１２は、受信されたデジタル放送信号から映像データ、オーディオデータ、情報データなどを復号化し、その復号されたデータを制御部２００に入力する。
【００３２】
ベースバンド処理部２１２は、制御部２００と内装アンテナＲＦ部２１６または内外装アンテナＲＦ部２１４との間のインターフェースを提供し、内装アンテナＲＦ部２１６または内外装アンテナＲＦ部２１４から印加されるデジタル放送信号を復号して制御部２００に印加する。
【００３３】
そして、制御部２００と接続されたコーデック２０８は、増幅部２１０を通じてマイク及びスピーカーと接続され、制御部２００から入力されるオーディオデータをＰＣＭ復号化(Ｄｅｃｏｄｉｎｇ)して増幅部２１０を通じてスピーカーに出力する。
【００３４】
そして、増幅部２１０は、マイクから入力される音声信号やスピーカーに出力される音声信号を増幅するために、スピーカーの音量とマイクの利得を制御部２００の制御によって調節する。
【００３５】
そして、バイブレーター２３２、ＬＥＤ２３４、リンガー２３６は、制御部２００の制御によって各々振動と光、またはベル音によりユーザーにアラームを提供する。
【００３６】
したがって、本発明の実施形態によるデジタル放送受信端末機は、内装アンテナ２１８，２２０の使用時に、内装アンテナＲＦ部２１６と内外装アンテナＲＦ部２１４を介して入力されるデジタル放送信号の受信状態を受信状態感知部２２６を通じて感知し、その結果によってユーザーに外装アンテナ２２４が必要な状態であるか否かを知らせる。
【００３７】
これによって、ユーザーは、外装アンテナ２２４が必要であるか否かを直ちに認知することができ、不必要な外装アンテナの使用による不便さが減少する。
【００３８】
また、本発明の実施形態によるデジタル放送受信端末機は、外装アンテナ２２４が使用される場合、内装アンテナＲＦ部２１６に入力される電源の供給を遮断して不必要な電力消耗を減らし、予め設定されたテスト週期ごとに前記電源がオフされた内装アンテナＲＦ部２１６に電源を供給し、第１の内装アンテナ２２０から受信されるデジタル放送信号の受信状態を判断する。もし、その判断結果、第１の内装アンテナ２２０から受信されたデジタル放送信号の受信状態が良好である場合には、これをユーザーに通知する。したがって、ユーザーは、外装アンテナ２２４を使用する時間を減らすことができるので外装アンテナ２２４の使用による不便さが減少される。
【００３９】
図２は、本発明の実施形態によるデジタル放送受信端末機の制御部２００のアンテナの受信状態による制御動作を示すフローチャートである。
【００４０】
図２を参照すれば、本発明の実施形態によるデジタル放送受信端末機に電源が入力されると、制御部２００は、ステップＳ３００に進行して内装アンテナ２１８，２２０から入力されるデジタル放送信号の受信状態を受信状態感知部２２６を通じて感知する。ここで、内装アンテナ２１８，２２０の受信状態を感知する動作については、図３Ａを参照して後述する。
【００４１】
次に、ステップＳ３００で、内装アンテナ２１８，２２０から入力されるデジタル放送信号の状態が感知されると、制御部２００は、ステップＳ３０２に進行してステップＳ３００で感知された内装アンテナ２１８，２２０の現在の受信状態がデジタル放送信号の受信が可能な状態であるか否かを判断する。ここで、デジタル放送信号の受信が可能な状態であるか否かを判断するステップＳ３０２は、受信状態感知部２２６により感知された、内装アンテナ２１８，２２０を介して受信されたデジタル放送信号の受信感知結果を判断する。
【００４２】
該判断の結果、受信状態が受信不能である状態ではない場合は、ステップＳ３０４に進行して現在使用している内装アンテナ２１８，２２０をそのまま維持する。ここで、内装アンテナ２１８，２２０を両方使用するアンテナモードを内装アンテナモードと言う。
【００４３】
一方、該判断の結果、ステップＳ３０２で内装アンテナ２１８，２２０の受信状態がデジタル放送信号の受信が不能な状態であると判断される場合には、制御部２００は、ステップＳ３０６に進行してユーザーに現在状態が内装アンテナ２１８，２２０を利用する内装アンテナモードではデジタル放送信号の受信が不能な状態であるということを知らせる。このステップＳ３０６でユーザーに内装アンテナモードでは受信が不能であるという事実を知らせるためには多様な方法がある。例えば、本発明の実施形態によるデジタル放送受信端末機は、ＬＥＤ２３４を利用した光やバイブレーター２３２を利用した振動またはリンガー２３６を利用したベル音によりその事実を知らせることができる。また、スピーカーを通じた音声メッセージによりユーザーにその事実を知らせるか表示部２０４にディスプレーされるアラームメッセージを通じてユーザーにその事実を知らせることもできる。このようなアラームメッセージは、図５Ａ乃至図５Ｃに例示されている。
【００４４】
次に、制御部２００は、ステップＳ３０８に進行して外装アンテナ２２４が装着されているか否かをチェックする。もし、一定時間の間に外装アンテナ２２４の装着が感知されない場合には、さらにステップＳ３００に進行してステップＳ３００段階乃至ステップＳ３０８の過程を反復実行する。
【００４５】
一方、ステップＳ３０８で外装アンテナ２２４の装着が感知された場合には、制御部２００は、ステップＳ３１０に進行して外装アンテナ２２４を介して受信されるデジタル放送信号の受信状態を感知する。ここで、外装アンテナ２２４の受信状態を感知する動作については、図３Ｂを参照して後述する。
【００４６】
次に、ステップＳ３１０で外装アンテナ２２４を介して受信されるデジタル放送信号の状態を感知した制御部２００は、ステップＳ３１２に進行して現在の受信状態がデジタル放送信号の受信が可能な状態であるか否かを判断する。
【００４７】
該判断の結果、デジタル放送信号の受信が不能な状態であると判断される場合には、ステップＳ３１４に進行して現在の受信状態が内装アンテナ２１８，２２０だけではなく外装アンテナ２２４を使用してもデジタル放送信号の受信が不能な状態であることをユーザーに知らせる。この通知方法にも上述したステップＳ３０６と同様に多様な方法がある。その例の中で表示部２０４を通じてユーザーにディスプレーされるメッセージの例について、図５Ａ〜５Ｃを参照して説明する。
【００４８】
次に、制御部２００は、さらにステップＳ３００に進行して内装アンテナ２１８，２２０の受信状態を感知する。
【００４９】
一方で、該判断の結果、上述したステップＳ３１２で、外装アンテナ２２４に入力されるデジタル放送信号の受信状態が受信が可能な状態である場合には、制御部２００は、ステップＳ３１６に進行して外装アンテナモードに転換する。ここで、外装アンテナモードとは、外装アンテナ２２４を介して制御部２００がデジタル放送信号を受信するアンテナモードを言う。
【００５０】
次に、ステップＳ３１８に進行して内装アンテナＲＦ部２１６の電源をオフする。ここで、内装アンテナ２１６の電源をオフする理由は、一般に外装アンテナ２２４を使用する場合にはその受信感度が内装アンテナ２１８，２２０を使用する場合より非常に高いので、外装アンテナ２２４一つだけを使用しても充分にデジタル放送信号を受信することができるからである。したがって、本発明では外装アンテナ２２４を使用する外装アンテナモードに転換される場合、不必要に消耗される電流を節約するために内装アンテナＲＦ部２１６の電源をオフさせる。
【００５１】
ステップＳ３１８で、内装アンテナＲＦ部２１６の電源をオフした制御部２００は、ステップＳ３２０に進行して周期的に第１の内装アンテナ２２０のデジタル放送信号受信状態をチェックする。ここで、周期的に内装アンテナ２２０の受信状態をチェックする理由は、上述のように外装アンテナ２２４を使用するようになればその受信感度や信号対雑音比が非常に高くなるが、そのサイズが内装アンテナ２１８，２２０に比べて大きいのでユーザーが不便さを感じるようになるからである。したがって、このようなユーザーの不便さを減らすために、第１の内装アンテナ２２０の受信状態を一定なテスト周期でチェックして、今は外装アンテナ２２４を要しないと決定された場合、すなわち、第１の内装アンテナ２２０で充分にデジタル放送信号を受信することができる状態になる場合に、外装アンテナ２２４を除去するようにするためである。
【００５２】
次に、ステップＳ３２０で、第１の内装アンテナ２２０の受信状態をチェックした制御部２００は、ステップＳ３２２に進行して内装アンテナ２２０を介して受信されたデジタル放送信号の受信状態を感知して内装アンテナの受信状態がデジタル放送信号を受信することが可能であるか否かを判断する。
【００５３】
該判断の結果、内装アンテナを介してデジタル放送信号の受信が可能である場合には、ステップＳ３０４に進行して内装アンテナモードに転換してさらにステップＳ３００に進行する。
【００５４】
一方で、ステップＳ３２２段階の判断結果、内装アンテナモードを介してデジタル放送信号の受信が不可能である場合には、ステップＳ３１０に進行してさらに外装アンテナ２２４のデジタル放送信号の受信状態を感知する。
【００５５】
本発明の実施形態によるデジタル放送受信端末機は、現在アンテナモードで受信されるデジタル放送信号の受信状態を感知し、感知された受信状態によって外装アンテナ２２４の装着または除去が必要であるという事実をユーザーに知らせる。したがって、ユーザーは外装アンテナ２２４を必要な間ほど使用することができるので、外装アンテナ２２４を不必要に使用することにより発生するユーザーの不便さを減らすことができる。
【００５６】
図３Ａ及び図３Ｂは、内装アンテナ２１８，２２０または外装アンテナ２２４の受信状態を感知するための動作を示すフローチャートである。図３Ａは、図２での内装アンテナ２１８，２２０の受信状態を感知するステップＳ３００を詳しく示し、図３Ｂは、図２での外装アンテナ２２４の受信状態を感知するステップＳ３１０を詳しく示す。
【００５７】
図３Ａを参照すれば、図２の内装アンテナ２１８，２２０の受信状態を感知するステップＳ３００が進行されると、制御部２００は、ステップＳ４００に進行して信号強度感知部２２８から内装アンテナ２１８，２２０を介して受信されたデジタル放送信号の強度感知結果の入力を受ける。
【００５８】
次に、ステップＳ４０２に進行して信号対雑音比感知部２３０から前記デジタル放送信号の信号対雑音比の感知結果の入力を受ける。
【００５９】
次に、制御部２００は、ステップＳ４００とステップＳ４０２で入力を受けた前記デジタル放送信号の強度が予め設定された臨界値以上であるか否かまたは信号対雑音比が予め設定された臨界値以上であるか否かを比較することにより、現在の内装アンテナ２１８，２２０を介してデジタル放送信号を受信可能な状態であるか否かを判断する。
【００６０】
一方、外装アンテナ２２４の受信状態を感知する図２のステップＳ３１０を詳しく説明している図３Ｂを参照すれば、現在外装アンテナ２２４が装着されていることが感知された場合、制御部２００は、ステップＳ３１０に進行して現在接続された外装アンテナ２２４の受信状態を感知する。
【００６１】
次に、ステップＳ３１０が進行されると、制御部２００は、ステップＳ４５０に進行して信号強度感知部２２８から外装アンテナ２２４を介して受信されたデジタル放送信号の強度感知結果の入力を受ける。
【００６２】
次に、ステップＳ４５２に進行して外装アンテナ２２４を介して受信されたデジタル放送信号の信号対雑音比の感知結果を信号対雑音比感知部２３０から入力を受ける。
【００６３】
次に、制御部２００は、ステップＳ４５０とステップＳ４５２で入力を受けた前記デジタル放送信号の強度が予め設定された臨界値以上であるか否かまたは信号対雑音比が予め設定された臨界値以上であるか否かを比較することにより、現在外装アンテナ２２４を介してデジタル放送信号を受信可能な状態であるか否かを判断する。
【００６４】
図４は、図２に図示された周期的に第１の内装アンテナ２２０を介してデジタル放送信号の受信状態をチェックするステップＳ３２０の詳細な過程を示すフローチャートである。
【００６５】
図４を参照すれば、周期的に受信状態をチェックするステップＳ３２０(図２参照)が進行されると、制御部２００は、予め設定されたテスト周期が満期されたか否かを判断するステップＳ５００に進行する。
【００６６】
次に、ステップＳ５００での判断の結果、予め設定されたテスト周期が満期された場合は、制御部２００は、ステップＳ５０２に進行して一時的に内装アンテナモードに転換する。これによって、ステップＳ５０２が進行されると、図２のステップＳ３１８で電源がオフされた内装アンテナＲＦ部２１６は、前記テスト周期によって電源が一時的にオンされる。
【００６７】
このように内装アンテナＲＦ部２１６に電源がオンされると、制御部２００は、ステップＳ５０４に進行して第１の内装アンテナ２２０を介して受信されるデジタル放送信号の受信状態をさらに感知する。ここで、第１の内装アンテナ２２０の受信状態を感知する過程は、上述した図３Ａと図３Ｂに示された過程と類似に第１の内装アンテナ２２０を介して受信されるデジタル放送信号の信号強度と信号対雑音比を感知することにより行われる。
【００６８】
次に、制御部２００は、ステップＳ５０６に進行してステップＳ５０４で感知された第１の内装アンテナ２２０を介して受信されたデジタル放送信号の受信状態がデジタル放送信号を受信可能な状態であるか否かを判断する。ここで、ステップＳ５０６は、ステップＳ５０４で受信状態感知部２２６から入力を受けた感知結果に基づいて行われる。すなわち、信号強度感知部２２８から入力された前記デジタル放送信号の強度が予め設定された臨界値以上であるか信号対雑音比感知部２３０を通じて入力されたデジタル放送信号の強度が予め設定された臨界値以上である場合に、制御部２００は、第１の内装アンテナ２２０を介してデジタル放送信号を受信することができる状態であると判断する。
【００６９】
そして、第１の内装アンテナ２２０がデジタル放送信号を受信可能な状態である場合は、制御部２００は、内装アンテナ２１８，２２０を介してデジタル放送信号を受信可能な状態であると判断する。
【００７０】
しかし、内装アンテナ２１８，２２０のデジタル放送信号受信状態が相変らず受信不可状態である場合には、現在外装アンテナ２２４を使用する外装アンテナモードをそのまま維持する。
【００７１】
一方、ステップＳ５０６で、内装アンテナ２１８，２２０のデジタル放送信号受信状態がデジタル放送信号を受信可能な状態である場合には、制御部２００は、ステップＳ５０８に進行してユーザーに内装アンテナ２１８，２２０を利用してデジタル放送信号を受信することが可能であり、その以上は外装アンテナ２２４が不要であることを知らせる。ステップＳ５０８でユーザーにこのような事実を知らせる方法には、ＬＥＤ２３４を利用した光またはバイブレーター２３２を利用した振動、リンガー２３６を利用したベル音またはスピーカーを通じた音声メッセージなどがある。また、表示部２０４を利用して特定内容を含むメッセージをディスプレーする方法を使用することもできる。このようなディスプレー画面の例は、図５Ａ乃至５Ｃを参照して説明する。
【００７２】
次に、今は外装アンテナ２２４が不要であることをユーザーに知らせた制御部２００は、ステップＳ５１０に進行して外装アンテナ２２４の装着状態をチェックする。
【００７３】
該チェックの結果、もし、一定時間が経過しても相変らず外装アンテナ２２４が装着されている場合には、制御部２００は、ステップＳ５０４に進行してもう一度内装アンテナ２１８，２２０の受信状態を感知する。そして、ステップＳ５０６からステップＳ５１０の過程を繰り返す。
【００７４】
一方、ステップＳ５１０で、その以上は外装アンテナ２２４が感知されない場合には、制御部２００は、ステップＳ５１２に進行して現在接続された内装アンテナ２１８，２２０を利用してデジタル放送信号を受信する。
【００７５】
このように本発明の実施形態によるデジタル放送受信端末機では、周期的に内装アンテナ２１８，２２０の受信状態をチェックすることにより内装アンテナ２１８，２２０が使用可能な状態であるか否かを確認し、内装アンテナ２１８，２２０が使用可能な場合には、これをユーザーに知らせて外装アンテナ２２４をその以上は使わないようにする。したがって、本発明の実施形態によるデジタル放送受信端末機は、内装アンテナ２１８，２２０が使用可能な地域で外装アンテナ２２４が不要に使用されることを防止することができる。
【００７６】
また、上述のように本発明の実施形態によるデジタル放送受信端末機の制御部２００は、外装アンテナ２２４が必要な状態または内装アンテナ２１８，２２０及び外装アンテナ２２４を全部使用してもデジタル放送信号の受信が不可能な状態、または今は外装アンテナ２２４が不必要である状態を、ＬＥＤ２３４、バイブレーター２３２、リンガー２３６またはスピーカーを通じた音声メッセージを利用してユーザーに知らせることができ、これと共に表示部２０４にディスプレーされるメッセージを利用してユーザーに具体的な状態を知らせることもできる。
【００７７】
図５Ａ乃至図５Ｃは、本発明の実施形態によるデジタル端末機において受信状態によってディスプレーされる画面の例を示す例示図である。
【００７８】
図５Ａは、図２のステップＳ３０６で、現在状態が内装アンテナ２１８，２２０を利用した内装アンテナモードではデジタル放送信号の受信が不可能な状態であることを知らせる画面の例であり、図５Ｂは、現在の受信状態が内装アンテナ２１８，２２０だけではなく外装アンテナ２２４を使用してもデジタル放送信号の受信が不可能な状態であることを知らせる画面の例であり、図５Ｃは、ユーザーに内装アンテナ２１８，２２０を利用してデジタル放送信号が受信可能であり、且つその以上は外装アンテナ２２４が不必要であることを知らせる画面の例である。このように本発明の実施形態によるデジタル放送受信端末機は、上述したＬＥＤ２３４、バイブレーター２３２、リンガー２３６の中でいずれか一つを利用してユーザーに現在アンテナモードのデジタル放送信号の受信状態を知らせることだけではなく表示部２０４にディスプレーされる画面でも知らせることができる。
【００７９】
図６は、図４に示されたテスト周期を決定する過程を示すフローチャートである。
【００８０】
予め設定されたテスト周期を一貫的に使用することもできるが、本発明では外装アンテナ２２４を不必要に使用する時間を減少させるために、現在使用されるアンテナの受信状態によってテスト周期を可変的に調整することができる。このようなテスト周期を決定する過程は、デジタル放送受信端末機に電源がオンされた時から開始することができる。また、アンテナモードが切り換えられる時、すなわち、内装アンテナモードから外装アンテナに切り換えられる時や外装アンテナモードから内装アンテナモードに切り換えられる時に開始することもできる。
【００８１】
図６は、この中で外装アンテナ２２４がユーザーにより装着された場合、すなわち内装アンテナモードから外装アンテナモードに転換された場合のテスト周期の決定過程を示している。
【００８２】
図６を参照すれば、制御部２００は、ステップＳ７００に進行して外装アンテナ２２４の受信状態を持続的に一定な時間間隔を置いてチェックする。
【００８３】
次に、ステップＳ７０２に進行してデジタル放送信号の受信状態に変化があるが否かを判断する。
【００８４】
該判断の結果、ステップＳ７０２で、デジタル放送信号の受信状態に変化がない場合には、制御部２００は、現在の受信状態が安定的であると判断してステップＳ７０４に進行して予め設定されたテスト周期を増加させる。したがって、ステップＳ７０４が進行されると、外装アンテナ２２４の使用時に内装アンテナ２１８，２２０を一時的に電源オンさせ、内装アンテナモードのデジタル放送信号の受信状態を感知する時間間隔が増加するようになる。
【００８５】
一方、ステップＳ７０２で、受信状態に変化がある場合には、制御部２００は、ステップＳ７０６に進行してその変化が持続的に受信状態が良好になっている状態であるか否かを判断する。ここで、受信状態が良好になるという意味は、上述した受信状態感知部２２６の感知結果、受信されたデジタル放送信号の受信強度がますます強くなり、また、受信されたデジタル放送信号の信号対雑音比がますます大きくなる場合を意味する。
【００８６】
次に、持続的にデジタル放送信号の受信状態が良好になっている状態であれば、制御部２００は、ステップＳ７１０に進行してテスト周期を減少（reduce）させる。これによって、外装アンテナ２２４の使用時に内装アンテナ２１８，２２０を一時的に電源オンさせ、内装アンテナモードのデジタル放送信号の受信状態を感知する時間間隔は減るようになる。ここで、持続的に受信状態が良好になっている場合にテスト周期を減少させる理由は、テスト周期を減らして内装アンテナ２１８，２２０の受信状態を一層よくチェックすることによりユーザーが少しでも早く外装アンテナ２２４を除去するようにするためである。
【００８７】
一方、ステップＳ７０６で、デジタル放送信号の受信状態が持続的に良好になっている場合ではない場合には、制御部２００は、ステップＳ７０８に進行して受信状態が持続的に悪くなっている場合であるか否かを判断する。
【００８８】
次に、ステップＳ７０８で、受信状態が持続的に悪くなっている場合であれば、制御部２００は、ステップＳ７０４に進行してテスト周期を増加させる。
【００８９】
一方、ステップＳ７０８で、受信状態が持続的に悪くなっている場合ではない場合には、すなわち、受信状態が良好な状態と悪くなった状態を繰り返している場合であれば、制御部２００は、テスト周期を決定する過程を終了して現在のテスト周期をそのまま維持する。ここで、受信状態が悪くなるという意味は、上述した受信状態感知部２２６の感知結果、受信されたデジタル放送信号の受信強度がますます弱くなり、また、受信されたデジタル放送信号の信号対雑音比がますます小さくなる場合を意味する。
【００９０】
次に、また上述のようにテスト周期を決定する過程が開始されると、さらにステップＳ７００に進行して外装アンテナ２２４の受信状態を持続的に一定な時間間隔を置いてチェックする。
【００９１】
このように本発明の実施形態によるデジタル放送受信端末機では、外装アンテナ２２４を使用する外装アンテナモードが使用される場合に、外装アンテナ２２４の受信状態を一定時間の間にチェックしてその受信状態によってテスト周期が調節されるので、ユーザーは、外装アンテナ２２４が今は不必要な状態を、予め設定された周期を一貫的に使用する場合より一層早く認知することができ、これによって外装アンテナ２２４を不必要に使用する時間を減らすことができる。
【００９２】
本発明では、基本的にダイバーシティ形態で具備された内装アンテナ以外に着脱が可能な外装アンテナを具備する。そして、上述した外装アンテナと内装アンテナの中でいずれの一つを選択することができるスイッチ部を具備する。また、上述した内装アンテナと外装アンテナから受信されるデジタル放送信号の受信状態を感知することができる受信状態感知部を具備して内装アンテナまたは外装アンテナを介して受信されるデジタル放送信号の受信状態をチェックする。また、本発明の実施形態によるデジタル放送受信端末機の制御部では、内装アンテナの受信状態を感知してデジタル放送信号の受信が不可能であると判断される場合、ユーザーにこれを知らせてユーザーが前記外装アンテナを装着するようにする。そして、外装アンテナが装着されると、外装アンテナと接続されたＲＦ部のみに電源を供給し、残りのＲＦ部には電源をオフするようにして、消耗電流を減らす。また、外装アンテナを使用する外装アンテナモードの場合には、テスト周期決定過程を通して決定されたテスト周期によって周期的に内装アンテナの受信状態を感知し、内装アンテナを介してデジタル放送信号の受信が可能であると判断される場合、これをユーザーに知らせて外装アンテナを除去するようにする。
【００９３】
また、本発明では、内装アンテナ以外に着脱が可能な外装アンテナと、上述した外装アンテナと内装アンテナの中でいずれの一つを選択することができるスイッチ部と、上述した内装アンテナと外装アンテナの受信状態を感知することができる受信状態感知部と、を具備する。そして、内装アンテナでデジタル放送信号の受信が不可能な場合には外装アンテナを利用する。そして、外装アンテナが装着されると、外装アンテナと接続されたＲＦ部のみに電源を供給し、残りのＲＦ部には電源をオフして消耗電流を減らす。また、外装アンテナを使用する場合、周期的に内装アンテナの受信状態を感知して、内装アンテナを介してデジタル放送信号の受信が可能であると判断される場合には、これをユーザーに知らせる。これによって、不必要な内装アンテナＲＦ部により消耗される電力を減らすことができ、外装アンテナを不必要に使用する時間を最小化することにより外装アンテナを使用するユーザーの不便さを減少させる。
【００９４】
一方、上述した本発明の説明では、具体的な実施形態に関して説明したが、様様な変形が可能なことは明らかである。特に、本発明の実施形態ではダイバーシティ形態の内装アンテナを具備しているデジタル放送受信端末機を例示しているが、これに限定されない。したがって、ダイバーシティ形態の内装アンテナを具備していないデジタル放送受信端末機でも本発明が適用できることは勿論である。一例として、単一内装アンテナを具備しているデジタル放送受信端末機の場合、内装アンテナＲＦ部と外装アンテナＲＦ部を別に具備し、外装アンテナが使用される場合には内装アンテナＲＦ部の電源をオフすることもできる。
【００９５】
また、本発明では、受信状態感知部により感知される受信状態が、受信されたデジタル放送信号の強度とそのデジタル放送信号の信号対雑音比によって決定されたが、二つの中でいずれの一つだけでも受信状態を決定することができる。すなわち、例えば、受信されたデジタル放送信号の強度だけでも受信状態が受信可能な状態または受信不可能な状態であると制御部が認識するようにすることができる。また、本発明の実施形態では、前記内装アンテナまたは外装アンテナにデジタル放送信号が受信されることを説明したが、上述した内装アンテナまたは外装アンテナに一般的なＲＦ信号が受信されることもできる。
【００９６】
以上、本発明を具体的な実施形態を参照して詳細に説明したが、本発明の範囲は前述の実施形態によって限定されるべきではなく、特許請求の範囲の記載及びこれと均等なものの範囲内で様々な変形が可能なことは、当該技術分野における通常の知識を持つ者には明らかである。
【図面の簡単な説明】
【００９７】
【図１】本発明の実施形態によるデジタル放送受信端末機を示すブロック構成図である。
【図２】本発明の実施形態によるデジタル放送受信端末機のアンテナの受信状態による制御動作を示すフローチャートである。
【図３Ａ】本発明の実施形態によるデジタル放送受信端末機で内装アンテナを通じたデジタル放送信号の受信状態感知過程を示す動作フローチャートである。
【図３Ｂ】本発明の実施形態によるデジタル放送受信端末機で内装アンテナを通じたデジタル放送信号の受信状態感知過程を示す動作フローチャートである。
【図４】本発明の実施形態によるデジタル放送受信端末機の周期的受信状態チェック動作を示す詳細フローチャートである。
【図５Ａ】本発明の実施形態によるデジタル放送受信端末機で受信状態によってディスプレーされる画面を例示する例示図である。
【図５Ｂ】本発明の実施形態によるデジタル放送受信端末機で受信状態によってディスプレーされる画面を例示する例示図である。
【図５Ｃ】本発明の実施形態によるデジタル放送受信端末機で受信状態によってディスプレーされる画面を例示する例示図である。
【図６】本発明の実施形態によるデジタル放送受信端末機でテスト週期決定過程を示す詳細フローチャートである。
【符号の説明】
【００９８】
２００  制御部
２０２  メモリー部
２０４  表示部
２０６  キー入力部
２０８  コーデック
２１０  増幅部
２１２  ベースバンド処理部
２１４  内外装アンテナーＲＦ部
２１６  内装アンテナＲＦ部
２１８，２２０  内装アンテナ
２２２  スイッチ部
２２４  外装アンテナ
２２６  受信状態感知部
２２８  信号強度感知部
２３０  信号対雑音比感知部
２３２  バイブレーター
２３４  ＬＥＤ
２３６  リンガー
【図１】
2006121707.tif 000003
【図２】
2006121707.tif 000004
【図３Ａ】
2006121707.tif 000005
【図３Ｂ】
2006121707.tif 000006
【図４】
2006121707.tif 000007
【図５Ａ】
2006121707.tif 000008
【図５Ｂ】
2006121707.tif 000009
【図５Ｃ】
2006121707.tif 000010
【図６】
2006121707.tif 000011